(57)【要約】【課題】点検項目に対する点検漏れや点検結果の判定の記載ミスを防止でき、報告書作成時間の短縮並びに報告書の見栄え向上を図ることができ、点検結果の集計や傾向の分析を容易に行い得ると共に、執務場所の省スペース化を図り得る駐車装置の保守点検システムを提供する。【解決手段】サービスセンターのコンピュータ１１と、駐車装置１２が設置されている現場に持参可能な携帯情報端末１３と、点検報告書を印刷可能なモバイルプリンタ１４とを有し、コンピュータ１１においてデータ管理を行い、コンピュータ１１から携帯情報端末１３に点検内容をダウンロードし、携帯情報端末１３を現場に持参し、その表示に従って点検を行いつつ点検結果を入力し、モバイルプリンタ１４で点検報告書を印刷し、点検終了後、携帯情報端末１３から点検結果をコンピュータ１１にアップロードし、電子データとして保存する。【選択図】図１
2009015704.tif 000002
【特許請求の範囲】
【請求項１】
サービスセンターに設置されたコンピュータに対し、駐車装置の機種別点検情報が盛り込まれた雛型ファイルを駐車装置の機種毎に予め登録しておくと共に、該雛型ファイルに基づき対応する駐車装置の物件毎に前記機種別点検情報が修正されて物件別点検情報として盛り込まれた点検ファイルを駐車装置の物件毎に登録し、
前記コンピュータに登録された点検ファイルの物件別点検情報を携帯情報端末にダウンロードし、該携帯情報端末を駐車装置が設置されている現場に持参し、前記携帯情報端末の表示に従って点検を行いつつ、点検結果を入力し、必要に応じて点検報告書を印刷し、
点検終了後、前記携帯情報端末をサービスセンターに持ち帰り、点検結果をコンピュータにアップロードし、前記点検ファイルを更新し、電子データとして保存することを特徴とする駐車装置の保守点検システム。
【請求項２】
コンピュータ及び携帯情報端末の各画面上で、点検項目毎に、点検を要する点検予定月であるか否かを色分け表示すると共に、未点検項目と点検済み項目とを色分け表示するようにした請求項１記載の駐車装置の保守点検システム。
【請求項３】
携帯情報端末の画面上で、表示された前回点検時の判定や計測値や所見を確認しながら今回点検時の判定を入力するようにした請求項２記載の駐車装置の保守点検システム。
【請求項４】
電子データを集約管理可能なサーバに、前記各サービスセンターのコンピュータをネットワーク接続し、前記サーバに、前記各サービスセンターのコンピュータに保存された電子データをバックアップすると共に、該電子データを社内ＷＥＢにて閲覧可能とした請求項１〜３のいずれか一つに記載の駐車装置の保守点検システム。
【発明の詳細な説明】
【技術分野】
【０００１】
本発明は、駐車装置の保守点検システムに関するものである。
【背景技術】
【０００２】
従来より、駐車施設の一形態としていわゆるタワーパーキングと呼ばれる垂直循環式駐車装置が知られている。
【０００３】
前記垂直循環式駐車装置は、図９に示される如く、建屋（図示せず）の上部に設置された上フレーム１に一対の上スプロケット２をその回転軸方向へ所要間隔をあけて回転自在に配設すると共に、前記建屋の下部に設置された下フレーム１´に一対の下スプロケット３をその回転軸方向へ所要間隔をあけて回転自在に配設し、前記上スプロケット２と下スプロケット３間に主務チェーン４を無端状に掛け回し、該二条の主務チェーン４によって多数のケージ５を支持してなる構成を有している。
【０００４】
前記上スプロケット２には、回転駆動系統６としてブレーキ７を備えたモータ８が減速機９を介して接続されており、該モータ８による上スプロケット２の回転駆動によって主務チェーン４を周回させ、前記ケージ５を循環させるようになっている。尚、図９には上下端に位置する二台のケージ５のみ示してあり、他のケージ５は省略してある。
【０００５】
前記ケージ５は、水平方向へ延びるケージ吊軸５ａの両端部に、リング状のハンガー５ｂを吊り下げるように設け、該ハンガー５ｂの下辺間に車載用のパレット５ｃを掛け渡すように取り付けてなる構成を有し、前記ケージ吊軸５ａの両端部を、主務チェーン４に取り付けられたアタッチメント１０間に掛け渡すように連結してある。
【０００６】
このような駐車装置では、昇降駆動装置やチェーン等の各部の保守点検を行う必要がある。
【０００７】
従来においては、機種別に点検箇所、実施内容、実施月、判定等の欄が印刷された保守点検報告用の用紙を使用し、点検者が点検する駐車装置に合わせて点検箇所を選び、実施月毎に点検を行い、判定欄に印刷されているＡＢＣＤ（例えば、Ａ：良好、Ｂ：調整・給油・処置済み、Ｃ：劣化の兆候あり、Ｄ：保全・修繕が必要）等のうちの該当するランクに丸印を付け、記入を完了した用紙そのものを客先に提出すると共に控えを執務場所に保管するようにしていた。
【０００８】
尚、駐車装置の管理をコンピュータシステムを用いて自動的に行うようにした一般的技術水準を示すものとしては、例えば、特許文献１がある。
【特許文献１】特開２００１−３４４６９８号公報
【発明の開示】
【発明が解決しようとする課題】
【０００９】
ところで、前記保守点検報告用の用紙には駐車装置の該当機種の点検項目が全て記述されており、客先の機械仕様によっては該当しないものもあり、該当しない点検項目については現場で点検者が斜線を引いて消すことにより対応していたが、消し間違えによるミスが生じる虞がある一方、前記点検項目は点検月がバラバラであり、点検該当月に点検し忘れるケアレスミスの虞もあった。
【００１０】
又、点検者が報告書を現場で手書きして作成することは、手間と時間がかかり、非効率的であると共に、手書きの報告書では見栄えも良いとは言えなかった。
【００１１】
更に又、報告書は紙での管理のため、点検結果の集計や傾向を分析することに手間がかかると共に、紙の報告書では、保管スペースの確保が大変になるという欠点を有していた。
【００１２】
尚、特許文献１に開示されたコンピュータシステムによる駐車場自動管理方法では、駐車場の車両の状態を検出する光電管等のセンサからの情報、パレット等の停止位置を検出するエンコーダからの情報、ドアプロテクタや出入口扉の開閉確認用のセンサからの情報等を集めることにより、各構成要素がそれぞれ所定の停止位置等の範囲内で運転しているか否かを監視し、これらの情報から異常発生をリアルタイムで検出し、サービスエンジニアの緊急出動等で迅速に対応することができるようになっているものの、各構成要素の異常発生前の保守点検に関する管理については考慮されていなかった。
【００１３】
本発明は、斯かる実情に鑑み、点検項目に対する点検漏れや点検結果の判定の記載ミスを防止でき、報告書作成時間の短縮並びに報告書の見栄え向上を図ることができ、点検結果の集計や傾向の分析を容易に行い得ると共に、執務場所の省スペース化を図り得る駐車装置の保守点検システムを提供しようとするものである。
【課題を解決するための手段】
【００１４】
本発明は、サービスセンターに設置されたコンピュータに対し、駐車装置の機種別点検情報が盛り込まれた雛型ファイルを駐車装置の機種毎に予め登録しておくと共に、該雛型ファイルに基づき対応する駐車装置の物件毎に前記機種別点検情報が修正されて物件別点検情報として盛り込まれた点検ファイルを駐車装置の物件毎に登録し、
前記コンピュータに登録された点検ファイルの物件別点検情報を携帯情報端末にダウンロードし、該携帯情報端末を駐車装置が設置されている現場に持参し、前記携帯情報端末の表示に従って点検を行いつつ、点検結果を入力し、必要に応じて点検報告書を印刷し、
点検終了後、前記携帯情報端末をサービスセンターに持ち帰り、点検結果をコンピュータにアップロードし、前記点検ファイルを更新し、電子データとして保存することを特徴とする駐車装置の保守点検システムにかかるものである。
【００１５】
上記手段によれば、以下のような作用が得られる。
【００１６】
前述の如く構成すると、携帯情報端末には、コンピュータに登録された点検ファイルの物件別点検情報がダウンロードされ、これを駐車装置が設置されている現場に点検者が持参し、前記携帯情報端末の表示に従って点検を行いつつ、点検結果を入力し、必要に応じて点検報告書を印刷すれば良いため、従来のように、駐車装置の該当機種の点検項目が全て記述されている保守点検報告用の用紙を点検者が現場に持参し、客先の機械仕様によって該当しない点検項目について現場で点検者が斜線を引いて消す必要がなくなるため、消し間違えによるミスが生じる虞がなくなる一方、前記点検項目の点検月がバラバラであっても、点検該当月に点検し忘れるケアレスミスの虞もなくなる。
【００１７】
又、点検者が報告書を現場で手書きして作成しなくて済み、手間と時間がかからず、効率が良くなると共に、報告書の見栄えも良くなる。
【００１８】
更に又、点検終了後、前記携帯情報端末は点検者によってサービスセンターに持ち帰られ、点検結果がコンピュータにアップロードされ、前記点検ファイルが更新され、電子データとして保存されるため、従来のように報告書を紙で管理するのとは異なり、点検結果の集計や傾向を分析することが容易になると共に、紙の報告書の保管スペースを確保しなくて済み、執務場所の省スペース化が可能となる。
【００１９】
前記駐車装置の保守点検システムにおいては、コンピュータ及び携帯情報端末の各画面上で、点検項目毎に、点検を要する点検予定月であるか否かを色分け表示すると共に、未点検項目と点検済み項目とを色分け表示することができ、このようにすると、点検項目毎の点検予定月の確認、並びに未点検項目と点検済み項目との判別が視覚的により行いやすくなり、点検項目に対する点検漏れの防止に一層役立つこととなる。
【００２０】
又、前記駐車装置の保守点検システムにおいては、携帯情報端末の画面上で、表示された前回点検時の判定や計測値や所見を確認しながら今回点検時の判定を入力することができ、このようにすると、今回の点検結果が前回点検時の判定と食い違っているような場合に、点検者に今回の点検結果が本当に正しいかどうか再確認させることを促すことができ、点検結果の判定の記載ミスを未然に防止することが可能となる。
【００２１】
更に又、前記駐車装置の保守点検システムにおいては、電子データを集約管理可能なサーバに、前記各サービスセンターのコンピュータをネットワーク接続し、前記サーバに、前記各サービスセンターのコンピュータに保存された電子データをバックアップすると共に、該電子データを社内ＷＥＢにて閲覧可能とすることが、社内において電子データを共有する上で有効となる。
【発明の効果】
【００２２】
本発明の駐車装置の保守点検システムによれば、点検項目に対する点検漏れや点検結果の判定の記載ミスを防止でき、報告書作成時間の短縮並びに報告書の見栄え向上を図ることができ、点検結果の集計や傾向の分析を容易に行い得ると共に、執務場所の省スペース化を図り得るという優れた効果を奏し得る。
【発明を実施するための最良の形態】
【００２３】
以下、本発明の実施の形態を添付図面を参照して説明する。
【００２４】
図１〜図８は本発明を実施する形態の一例であって、システムの基本構成としては、図１及び図２に示す如く、サービスセンターに設置された共通のコンピュータ１１と、駐車装置１２が設置されている現場に持参可能な携帯情報端末１３（ＰＤＡ：Personal Digital Assistant）と、点検報告書を印刷可能なモバイルプリンタ１４とを有しており、前記コンピュータ１１においてデータ管理を行い、該コンピュータ１１から携帯情報端末１３に点検内容をダウンロードし、該携帯情報端末１３を駐車装置１２が設置されている現場に持参し、前記携帯情報端末１３の表示に従って点検を行いつつ、点検結果を入力し、必要に応じて前記モバイルプリンタ１４で点検報告書を印刷し、点検終了後、前記携帯情報端末１３をサービスセンターに持ち帰り、点検結果をコンピュータ１１にアップロードし、電子データとして保存するようにしている。
【００２５】
図３は本発明を実施する形態の一例においてコンピュータ１１で行われる物件の登録の流れを示すフローチャートであって、前記コンピュータ１１には、駐車装置１２の機種別点検情報が盛り込まれた雛型ファイルが駐車装置１２の機種毎に予め登録されており、ステップＳ１において先ず該当する駐車装置１２の雛型ファイルを選択し、該雛型ファイルに盛り込まれている駐車装置１２の機種別点検情報の点検項目が全てその物件に該当するものであるか否かをステップＳ２において判別し、不要な点検項目がある場合にはステップＳ３においてその点検項目を削除し、前記雛型ファイルに盛り込まれている駐車装置１２の機種別点検情報の点検項目の他に必要な点検項目があるか否かをステップＳ４において判別し、必要な点検項目がある場合にはステップＳ５においてその点検項目を新規作成し、登録を完了する。これにより、前記雛型ファイルに基づき、対応する駐車装置１２の物件毎に前記機種別点検情報が修正されて物件別点検情報として盛り込まれた点検ファイルが、駐車装置１２の物件毎に前記コンピュータ１１に登録されるようにしてある。
【００２６】
図４は本発明を実施する形態の一例においてコンピュータ１１と携帯情報端末１３との間で行われる点検結果の処理の流れを示すフローチャートであって、前記コンピュータ１１に登録された点検ファイルの物件別点検情報をステップＳ１０において携帯情報端末１３にダウンロードし、該携帯情報端末１３を駐車装置１２が設置されている現場に持参し、前記携帯情報端末１３の表示に従って点検を行いつつ、ステップＳ１１において点検結果を入力し、点検終了後、前記携帯情報端末１３をサービスセンターに持ち帰り、ステップＳ１２において点検結果をコンピュータ１１にアップロードし、該コンピュータ１１では、ステップＳ１３において前記アップロードにより点検結果が追加されたか否かを判別し、追加されている場合には、ステップＳ１４において点検結果のデータベースへの追加を行い、ステップＳ１５において、次回の点検項目を演算し、点検すべき項目を赤色表示し、点検の必要ない項目を灰色表示し、更に、点検時の参照用としての前回値データを更新し、これにより、前記点検ファイルが更新され、電子データとして保存されるようにしてある。
【００２７】
図５は本発明を実施する形態の一例において携帯情報端末１３で行われる点検結果の入力処理（ステップＳ１１参照）の流れを示すフローチャートであって、ステップＳ２０において先ず物件の選択を行い、ステップＳ２１において点検すべき項目を赤色表示し、点検の必要ない項目を灰色表示し、携帯情報端末１３の表示に従って点検を行いつつ、ステップＳ２２において点検結果を入力し、点検済み項目についてはステップＳ２３において赤色表示を緑色表示に変換し、ステップＳ２４において点検すべき項目が全て入力されたか否かを判別し、全ての入力が完了していない場合には、ステップＳ２５において未点検項目を残したまま終了させる必要があるか否かを判別し、終了させる必要がない場合には、前記ステップＳ２２に戻り、点検結果の入力を繰り返す一方、未点検項目を残したまま終了させる必要がある場合にはステップＳ２６において未点検項目があることを警告表示する。前記ステップＳ２４において点検すべき項目が全て入力された場合には、ステップＳ２７において点検報告書を印刷するか否かを確認し、印刷する場合にはステップＳ２８において未点検項目があるか否かを確認し、未点検項目がある場合にはステップＳ２９において未点検項目があることを警告表示する。前記ステップＳ２８において未点検項目がない場合には、ステップＳ３０において点検報告書の印刷を行い、点検を終了するようにしてある。
【００２８】
ここで、前記携帯情報端末１３の画面上では、図６に示す如く、点検項目毎に、点検を要する点検予定月であるか否かを色分け表示すると共に、未点検項目と点検済み項目とを色分け表示するようにしてある。因みに、本図示例の場合には、点検予定項目を赤色、点検済み項目を緑色、点検しなくても良い項目を灰色で表示するようにしてあるが、別の色を選定しても良いことは言うまでもない。尚、特に図示していないが、前記コンピュータ１１の画面上においても、点検項目毎に、点検を要する点検予定月であるか否かを色分け表示すると共に、未点検項目と点検済み項目とを色分け表示するようにしてある。
【００２９】
又、前記携帯情報端末１３の画面上では、図７に示す如く、表示された前回点検時の判定や計測値や所見を確認しながら今回点検時の判定を入力することができるようにしてある。
【００３０】
更に又、本図示例においては、図８に示す如く、電子データを集約管理可能なサーバ１５に、前記各サービスセンターのコンピュータ１１をネットワーク接続し、前記サーバ１５に、前記各サービスセンターのコンピュータ１１に保存された電子データをバックアップすると共に、該電子データを社内ＷＥＢにて閲覧可能としてある。
【００３１】
次に、上記図示例の作用を説明する。
【００３２】
前述の如く構成すると、携帯情報端末１３には、コンピュータ１１に記憶された点検ファイルの物件別点検情報がダウンロードされ、これを駐車装置１２が設置されている現場に点検者が持参し、前記携帯情報端末１３の表示に従って点検を行いつつ、点検結果を入力し、必要に応じて点検報告書を印刷すれば良いため、従来のように、駐車装置１２の該当機種の点検項目が全て記述されている保守点検報告用の用紙を点検者が現場に持参し、客先の機械仕様によって該当しない点検項目について現場で点検者が斜線を引いて消す必要がなくなるため、消し間違えによるミスが生じる虞がなくなる一方、前記点検項目の点検月がバラバラであっても、点検該当月に点検し忘れるケアレスミスの虞もなくなる。
【００３３】
又、点検者が報告書を現場で手書きして作成しなくて済み、手間と時間がかからず、効率が良くなると共に、報告書の見栄えも良くなる。
【００３４】
更に又、点検終了後、前記携帯情報端末１３は点検者によってサービスセンターに持ち帰られ、点検結果がコンピュータ１１にアップロードされ、前記点検ファイルが更新され、電子データとして保存されるため、従来のように報告書を紙で管理するのとは異なり、点検結果の集計や傾向を分析することが容易になると共に、紙の報告書の保管スペースを確保しなくて済み、執務場所の省スペース化が可能となる。
【００３５】
しかも、本図示例においては、携帯情報端末１３の画面上で、図６に示す如く、点検項目毎に、点検を要する点検予定月であるか否かを色分け表示すると共に、未点検項目と点検済み項目とを色分け表示し、その一例として点検予定項目を赤色、点検済み項目を緑色、点検しなくても良い項目を灰色で表示するようにしてあるため、点検項目毎の点検予定月の確認、並びに未点検項目と点検済み項目との判別が視覚的により行いやすくなり、点検項目に対する点検漏れの防止に一層役立つこととなる。尚、特に図示していないが、前記コンピュータ１１の画面上においても、点検項目毎に、点検を要する点検予定月であるか否かを色分け表示すると共に、未点検項目と点検済み項目とを色分け表示するようにしてあるため、前述と同様の作用効果が得られる。
【００３６】
又、本図示例においては、携帯情報端末１３の画面上で、図７に示す如く、表示された前回点検時の判定を確認しながら今回点検時の判定を入力するようにしてあるため、今回の点検結果が前回点検時の判定と食い違っているような場合に、点検者に今回の点検結果が本当に正しいかどうか再確認させることを促すことができ、点検結果の判定の記載ミスを未然に防止することが可能となる。例えば、ある点検項目において、前回点検時の判定がＣ（劣化の兆候あり）ランクで補修等が行われていないにもかかわらず、今回の点検結果がＡ（良好）ランクになっているようなケース、或いはブレーキライニングの摩耗寸法が前回点検時と比較して増加しているケース等に有効となる。
【００３７】
更に又、本図示例においては、図８に示す如く、電子データを集約管理可能なサーバ１５に、前記各サービスセンターのコンピュータ１１をネットワーク接続し、前記サーバ１５に、前記各サービスセンターのコンピュータ１１に保存された電子データをバックアップすると共に、該電子データを社内ＷＥＢにて閲覧可能としてあるため、社内において電子データを共有する上で有効となる。
【００３８】
こうして、点検項目に対する点検漏れや点検結果の判定の記載ミスを防止でき、報告書作成時間の短縮並びに報告書の見栄え向上を図ることができ、点検結果の集計や傾向の分析を容易に行い得ると共に、執務場所の省スペース化を図り得る。
【００３９】
尚、本発明の駐車装置の保守点検システムは、上述の図示例にのみ限定されるものではなく、駐車装置としては、タワーパーキング（垂直循環式）に限らず、エレベータパーキング（エレベータ方式）、コンベイパーキング（円形循環方式）、ボックスコンベイパーキング（箱形循環方式）、スクエアパーキング（水平循環方式）、シャトルパーキング（平面往復方式）、二多段式パーキングといった駐車装置にも適用可能なこと等、その他、本発明の要旨を逸脱しない範囲内において種々変更を加え得ることは勿論である。
【図面の簡単な説明】
【００４０】
【図１】本発明を実施する形態の一例におけるシステムの基本構成と作業フローを示す概要図である。
【図２】本発明を実施する形態の一例における携帯情報端末を示す正面図である。
【図３】本発明を実施する形態の一例においてコンピュータで行われる物件の登録の流れを示すフローチャートである。
【図４】本発明を実施する形態の一例においてコンピュータと携帯情報端末との間で行われる点検結果の処理の流れを示すフローチャートである。
【図５】本発明を実施する形態の一例において携帯情報端末で行われる点検結果の入力処理の流れを示すフローチャートである。
【図６】本発明を実施する形態の一例において携帯情報端末で行われる点検結果入力時の表示画面の変化を示す図である。
【図７】本発明を実施する形態の一例において携帯情報端末で行われる点検結果入力時に前回点検時の判定を表示した画面の状態を示す図である。
【図８】本発明を実施する形態の一例におけるシステムの全体構成を示す概要図である。
【図９】従来における垂直循環式駐車装置の一例を示す全体概要斜視図である。
【符号の説明】
【００４１】
１１    コンピュータ
１２    駐車装置
１３    携帯情報端末
１４    モバイルプリンタ
１５    サーバ
【図１】
2009015704.tif 000003
【図２】
2009015704.tif 000004
【図３】
2009015704.tif 000005
【図４】
2009015704.tif 000006
【図５】
2009015704.tif 000007
【図６】
2009015704.tif 000008
【図７】
2009015704.tif 000009
【図８】
2009015704.tif 000010
【図９】
2009015704.tif 000011